【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
記録媒体へ液滴を噴射するノズルと、前記ノズルと連通する液室と、所定の駆動信号が供給されると前記液室内の液体を加圧する圧電アクチュエータと、を備えたインクジェットヘッドと、
所定の駆動信号を供給して前記インクジェットヘッドを駆動させる駆動手段と、
を具備し、
前記駆動手段は、少なくとも二種類のサイズのドットを選択的に形成するように前記インクジェットヘッドを駆動するとともに、
前記ノズルから液滴を噴射させて最大サイズの１ドットを形成することができる噴射波形が含まれる第１の噴射波形群と、前記第１の噴射波形群の最終の噴射波形の始端から所定の時間間隔の後に設けられ、噴射後のメニスカスの振動を抑制するために印加され、前記ノズルから液滴を噴射させない第１の非噴射波形と、少なくとも最小サイズの１ドットを形成することができる噴射波形が含まれる第２の噴射波形群と、前記第２の噴射波形群の最終の噴射波形の始端から所定の時間間隔の後に設けられ、噴射後のサテライトの発生を抑制するために印加され、ノズルから液滴を噴射させない第２の非噴射波形と、を１噴射周期内に含む基準駆動波形を生成する波形生成手段と、
噴射データに基づいて、前記第１の噴射波形群あるいは前記第２の噴射波形群の中から１つ以上の噴射波形を選択するとともに、前記第１の噴射波形群の中から噴射波形が選択された場合には第１の非噴射波形を選択し、一方、前記第２の噴射波形群の中から噴射波形が選択された場合には前記第２の非噴射波形を選択する波形選択手段と、
前記選択された波形が含まれる駆動信号を生成する駆動信号生成手段と、
を備えたことを特徴とするインクジェット噴射装置。
【請求項２】
請求項１に記載のインクジェット噴射装置において、
前記第１の噴射波形群は、所定の間隔で並べられた複数の噴射波形を含むとともに、最大サイズのドットを形成することができる噴射回数以上の数の前記噴射波形を含み、
前記第２の噴射波形群は、最小サイズの１ドットを形成することができる噴射波形を一つ以上含むとともに前記第１の噴射波形群に含まれる噴射波形の数未満の噴射波形が含まれることを特徴とするインクジェット噴射装置。
【請求項３】
請求項１又は２に記載のインクジェット噴射装置において、
前記波形選択手段は、最大サイズのドットを形成する場合には前記第１の噴射波形群の中から噴射波形を選択する一方、最小サイズのドットを形成する場合には前記第２の噴射波形群の中から噴射波形を選択することを特徴とするインクジェット噴射装置。
【請求項４】
請求項１乃至３のいずれかに記載のインクジェット噴射装置において、
前記第２の噴射波形群の最終の噴射波形の始端から前記第２の非噴射波形の始端までの時間間隔ｔＢは、前記インクジェットヘッドの構造から求められるヘルムホルツ周期をＴＣ、ｎを正の整数としたときに、ＴＣ×ｎで表されることを特徴とするインクジェット噴射装置。
【請求項５】
請求項１乃至４のいずれかに記載のインクジェット噴射装置において、
前記第１の噴射波形群の最終の噴射波形の始端から前記第１の非噴射波形の始端までの時間間隔は、前記インクジェットヘッドの構造から求められるヘルムホルツ周期をＴＣ、ｎを正の整数としたときに、｛ＴＣ×（２×ｎ−１）｝／２で表されることを特徴とするインクジェット噴射装置。
【請求項６】
請求項１乃至４のいずれかに記載のインクジェット噴射装置において、
前記第１の噴射波形群の最終の噴射波形の始端から前記第１の非噴射波形の始端までの時間間隔は、前記第２の噴射波形群と前記第２の非噴射波形との時間間隔ｔＢの正の整数倍であるとともに、前記第１の非噴射波形の始端と前記第１の非噴射波形の立ち下り部までの時間間隔は前記第２の噴射波形群と前記第２の非噴射波形との時間間隔ｔＢの正の整数倍であることを特徴とするインクジェット噴射装置。
【請求項７】
請求項１乃至４のいずれかに記載のインクジェット噴射装置において、
前記第１の噴射波形群の最終の噴射波形の始端から前記第１の非噴射波形の立ち上がり部までの時間間隔は、前記第２の噴射波形群と前記第２の非噴射波形との時間間隔ｔＢの正の整数倍であることを特徴とするインクジェット噴射装置。
【請求項８】
請求項４に記載のインクジェット噴射装置において、
前記第１の噴射波形群の最終の噴射波形の始端から前記第１の非噴射波形の始端までの時間間隔は、前記第２の噴射波形群と前記第２の非噴射波形との時間間隔ｔＢを用いて、（３／２）×ｔＢの正の整数倍で表されることを特徴とするインクジェット噴射装置。
【請求項９】
請求項２乃至８のいずれかに記載のインクジェット噴射装置において、
前記第１の噴射波形群に含まれる噴射波形の数が前記第２の噴射波形群に含まれる噴射波形の数よりも多いときには、前記第１の非噴射波形は噴射後のメニスカスの振動と略逆位相で印加され、前記第２の非噴射波形は噴射後のメニスカス振動と略同位相で印加されることを特徴とするインクジェット噴射装置。
【請求項１０】
請求項１乃至９のいずれかに記載のインクジェット噴射装置において、
前記噴射波形及び前記第２の非噴射波形は略矩形形状又は略台形形状、略三角形形状のいずれかを有し、前記第２の非噴射波形の幅は前記噴射波形の幅と略同一であることを特徴とするインクジェット噴射装置。
【請求項１１】
請求項１乃至９のいずれかに記載のインクジェット噴射装置において、
前記第１の非噴射波形は略矩形形状又は略台形形状、略三角形形状のいずれかを有し、前記第１の非噴射波形の幅は前記噴射波形の幅と略同一であることを特徴とするインクジェット噴射装置。
【請求項１２】
請求項１乃至１１のいずれかに記載のインクジェット噴射装置において、
前記基準駆動波形は、第１の噴射波形群、第１の非噴射波形、第２の噴射波形群、第２の非噴射波形の順に並べられた構造を有することを特徴とするインクジェット噴射装置。
【請求項１３】
請求項１乃至１１のいずれかに記載のインクジェット噴射装置において、
前記基準駆動波形は、第２の噴射波形群、第２の非噴射波形、第１の噴射波形群、第１の非噴射波形の順に並べられたことを特徴とするインクジェット噴射装置。
【請求項１４】
請求項１２又は１３に記載のインクジェット噴射装置において、
前記波形選択手段は、最大サイズと最小サイズの間の中間サイズのドットを形成する場合は、前記第１の噴射波形群に含まれる噴射波形の一部を選択することを特徴とするインクジェット噴射装置。
【請求項１５】
請求項１４に記載のインクジェット噴射装置において、
前記波形選択手段は、最大サイズのドットを形成する場合に前記第１の噴射波形群及び前記第１の非噴射波形とともに前記第２の非噴射波形を選択することを特徴とするインクジェット噴射装置。
【請求項１６】
請求項１乃至１５のいずれかに記載のインクジェット噴射装置において、
前記波形選択手段は、液滴が噴射されない休止ノズルに対して前記第１の非噴射波形及び前記第２の非噴射波形の少なくともいずれかを選択することを特徴とするインクジェット噴射装置。
【請求項１７】
記録媒体へ液滴を噴射するノズルと、前記ノズルと連通する液室と、所定の駆動信号が供給されると前記液室内の液体を加圧する圧電アクチュエータと、を備えたインクジェットヘッドの噴射方法であって、
少なくとも二種類のサイズのドットを選択的に形成するように前記インクジェットヘッドを駆動するとともに、
前記ノズルから液滴を噴射させて最大サイズの１ドットを形成することができる噴射波形が含まれる第１の噴射波形群と、前記第１の噴射波形群の最終の噴射波形の始端から所定の時間間隔の後に設けられ、噴射後のメニスカスの振動を抑制するために印加され、前記ノズルから液滴を噴射させない第１の非噴射波形と、少なくとも最小サイズの１ドットを形成することができる噴射波形が含まれる第２の噴射波形群と、前記第２の噴射波形群の最終の噴射波形の始端から所定の時間間隔の後に設けられ、噴射後のサテライトの発生を抑制するために印加され、ノズルから液滴を噴射させない第２の非噴射波形と、を１噴射周期内に含む基準駆動波形を生成し、
噴射データに基づいて、前記第１の噴射波形群あるいは前記第２の噴射波形群の中から１つ以上の噴射波形を選択するとともに、前記第１の噴射波形群の中から噴射波形が選択された場合には第１の非噴射波形を選択し、一方、前記第２の噴射波形群の中から噴射波形が選択された場合には前記第２の非噴射波形を選択し、
前記選択された波形が含まれる駆動信号を生成し、
前記生成された駆動信号を前記インクジェットヘッドへ供給して液滴を噴射させることを特徴とするインクジェット噴射方法。
【請求項１８】
記録媒体へ液滴を噴射するノズルと、前記ノズルと連通する液室と、所定の駆動信号が供給されると前記液室内の液体を加圧する圧電アクチュエータと、を備えたインクジェットヘッドと、
前記記録媒体と前記インクジェットヘッドとを相対的に移動させる移動手段と、
所定の駆動信号を供給して前記インクジェットヘッドを駆動させる駆動手段と、
を具備し、
前記駆動手段は、少なくとも二種類のサイズのドットを選択的に形成するように前記インクジェットヘッドを駆動するとともに、
前記ノズルから液滴を噴射させて最大サイズの１ドットを形成することができる噴射波形が含まれる第１の噴射波形群と、前記第１の噴射波形群の最終の噴射波形の始端から所定の時間間隔の後に設けられ、噴射後のメニスカスの振動を抑制するために印加され、前記ノズルから液滴を噴射させない第１の非噴射波形と、少なくとも最小サイズの１ドットを形成することができる噴射波形が含まれる第２の噴射波形群と、前記第２の噴射波形群の最終の噴射波形の始端から所定の時間間隔の後に設けられ、噴射後のサテライトの発生を抑制するために印加され、ノズルから液滴を噴射させない第２の非噴射波形と、を１噴射周期内に含む基準駆動波形を生成する波形生成手段と、
噴射データに基づいて、前記第１の噴射波形群あるいは前記第２の噴射波形群の中から１つ以上の噴射波形を選択するとともに、前記第１の噴射波形群の中から噴射波形が選択された場合には第１の非噴射波形を選択し、一方、前記第２の噴射波形群の中から噴射波形が選択された場合には前記第２の非噴射波形を選択する波形選択手段と、
前記選択された波形が含まれる駆動信号を生成する駆動信号生成手段と、
を備えたことを特徴とするインクジェット記録装置。
【手続補正２】
【補正対象書類名】明細書
【補正対象項目名】０００８
【補正方法】変更
【補正の内容】
【０００８】
上記目的を達成するために、本発明に係るインクジェット噴射装置は、記録媒体へ液滴を噴射するノズルと、前記ノズルと連通する液室と、所定の駆動信号が供給されると前記液室内の液体を加圧する圧電アクチュエータと、を備えたインクジェットヘッドと、所定の駆動信号を供給して前記インクジェットヘッドを駆動させる駆動手段と、を具備し、前記駆動手段は、少なくとも二種類のサイズのドットを選択的に形成するように前記インクジェットヘッドを駆動するとともに、前記ノズルから液滴を噴射させて最大サイズの１ドットを形成することができる噴射波形が含まれる第１の噴射波形群と、前記第１の噴射波形群の最終の噴射波形の始端から所定の時間間隔の後に設けられ、噴射後のメニスカスの振動を抑制するために印加され、前記ノズルから液滴を噴射させない第１の非噴射波形と、少なくとも最小サイズの１ドットを形成することができる噴射波形が含まれる第２の噴射波形群と、前記第２の噴射波形群の最終の噴射波形の始端から所定の時間間隔の後に設けられ、噴射後のサテライトの発生を抑制するために印加され、ノズルから液滴を噴射させない第２の非噴射波形と、を１噴射周期内に含む基準駆動波形を生成する波形生成手段と、噴射データに基づいて、前記第１の噴射波形群あるいは前記第２の噴射波形群の中から１つ以上の噴射波形を選択するとともに、前記第１の噴射波形群の中から噴射波形が選択された場合には第１の非噴射波形を選択し、一方、前記第２の噴射波形群の中から噴射波形が選択された場合には前記第２の非噴射波形を選択する波形選択手段と、前記選択された波形が含まれる駆動信号を生成する駆動信号生成手段と、を備えたことを特徴とする。
【手続補正３】
【補正対象書類名】明細書
【補正対象項目名】００２５
【補正方法】変更
【補正の内容】
【００２５】
〔駆動信号の説明：第１実施形態〕
次に、本発明の第１実施形態に係る駆動信号について説明する。図３（ａ）は、１噴射周期分の基準駆動波形１００を模式的に図示した図であり、横系列は時間、縦系列は電圧（振幅）である。なお、本例に示す駆動信号の立ち上がり部は、メニスカスをノズル内に引き込むように圧電素子を動作させ（引き動作）、立下り部はメニスカスをノズル外部に押し出すように圧電素子を動作させる（押し動作）。
【手続補正４】
【補正対象書類名】明細書
【補正対象項目名】００３２
【補正方法】変更
【補正の内容】
【００３２】
メニスカス静定波形１０４は、液滴を吐出させることができない非噴射波形であり、中サイズドット又は大サイズドットを形成する際に、噴射後のメニスカスの隆起（圧力波の過渡現象）を抑制するために付加される。メニスカス静定波形１０４は、振幅（電圧）が噴射波形１０２の振幅の１／２以下（より好ましくは１／３以下）であり、パルス幅（立ち上り部の中央から立ち下り部の中央までの時間）はｔＡとなっている。
【手続補正５】
【補正対象書類名】明細書
【補正対象項目名】００３４
【補正方法】変更
【補正の内容】
【００３４】
サテライト抑制波形１０６は、液滴を吐出させることができない非噴射波形であり、小サイズドットを形成する際に噴射後の液滴の尾引きを切断してサテライトの発生を抑制するために噴射波形１０２‐４の後に付加される。サテライト抑制波形１０６は、振幅が噴射波形１０２の振幅の１／２以下（より好ましくは１／３以下）であり、パルス幅（立ち上がり部の中央から立ち下り部の中央までの時間）がｔＡとなっており、噴射波形１０２−４の始端からサテライト抑制波形１０６の始端までの時間間隔（噴射波形１０２−４とサテライト抑制波形１０６との時間間隔）はｔＢとなっている。
【手続補正６】
【補正対象書類名】明細書
【補正対象項目名】００４０
【補正方法】変更
【補正の内容】
【００４０】
そこで、１パルス噴射では、噴射波形１０２‐４の始端から所定の時間間隔（ｔＢ）の後にサテライト抑制波形１０６を付加することで、主液滴噴射後のサテライトの発生が効果的に抑制され、好ましい形状を有するドットを得ることができる。また、噴射波形１０２‐４の始端からサテライト抑制波形１０６の始端までの時間間隔をヘルムホルツ周期Ｔｃの正の整数倍とすることで、主液滴噴射後のメニスカスの揺れとサテライト抑制波形１０６によるメニスカスの動作が同位相となり、サテライトの発生をより効果的に抑制し得る。
【手続補正７】
【補正対象書類名】明細書
【補正対象項目名】００４３
【補正方法】変更
【補正の内容】
【００４３】
また、１ドットの形成に関与した複数回の連続噴射における最終の噴射波形１０２‐３の始端からメニスカス静定波形１０４までの時間間隔をヘルムホルツ周期Ｔｃの１／２の奇数倍とすることで、最後の主液滴噴射後のメニスカスの揺れとメニスカス静定波形１０４によるメニスカスの動作が逆位相となり、メニスカスの揺れを素早く収束させることが可能となる。
【手続補正８】
【補正対象書類名】明細書
【補正対象項目名】００４４
【補正方法】変更
【補正の内容】
【００４４】
さらに、図６（ａ）に示す基準駆動波形１０１のように、最後の噴射波形１０２‐３の始端からメニスカス静定波形１０５の始端までの時間間隔をｔＢの正の整数倍とするとともに、メニスカス静定波形１０５の始端からメニスカス静定波形１０５の立下り部までの時間間隔をｔＢの正の整数倍とする態様もこのましい。かかる基準駆動波形１０１と、図６（ｂ）に図示されたＨレベル１４３及びＬレベル１４５を有する波形選択信号１４１との論理和により求められた駆動波形１２５（図６（ｃ））は、メニスカスを押し方向に動作させようとするメニスカス静定波形１０５の立下り部と、噴射波形１０２−３による噴射の過渡現象（振動）が引き方向に動いているメニスカスとの位相が逆位相となり、当該メニスカスの振動が効率よく抑制され得る。
【手続補正９】
【補正対象書類名】明細書
【補正対象項目名】００６７
【補正方法】変更
【補正の内容】
【００６７】
なお、図８〜図１０に図示された基準駆動波形１００’におけるパルス幅ｔＡ、パルス間隔ｔＢは、先に説明した第１実施形態と同一とすることができる。また、メニスカス静定波形１０４とメニスカス振動との位相の関係や、サテライト抑制波形１０６とメニスカス振動との位相の関係も先に説明した第１実施形態と同一とすることができる。
【手続補正１０】
【補正対象書類名】明細書
【補正対象項目名】００７６
【補正方法】変更
【補正の内容】
【００７６】
図１３は、本例の効果を示す図である。同図における横系列は休止時間（ｓｅｃ）であり、縦系列は液滴の噴射速度（ｍ／ｓｅｃ）であり、所定時間休止した直後の最初の噴射における液滴の速度を計測した結果である。
【手続補正１１】
【補正対象書類名】明細書
【補正対象項目名】００７８
【補正方法】変更
【補正の内容】
【００７８】
一方、曲線２２２は、休止中のノズルにサテライト抑制波形１０６のみが含まれる休止ノズル用駆動波形から成る駆動信号を印加した場合の噴射特性を示し、曲線２２４は、休止中のノズルにメニスカス静定波形１０４及びサテライト抑制波形１０６の両方が含まれる休止ノズル用駆動波形から成る駆動信号を印加した場合の噴射特性を示している。いずれの場合にも、休止直後の噴射における噴射速度の著しい低下は見られず、また、休止時間が長くなったとしても休止直後の液滴の噴射速度は著しく低下していないことが把握される。
【手続補正１２】
【補正対象書類名】明細書
【補正対象項目名】０１００
【補正方法】変更
【補正の内容】
【０１００】
インクジェットヘッド３４８Ｍ，３４８Ｋ，３４８Ｃ，３４８Ｙはそれぞれ、マゼンダ（Ｍ）、黒（Ｋ）、シアン（Ｃ）、イエロー（Ｙ）の４色のインクに対応しており、描画ドラム３４４の回転方向（図１４における反時計回り方向）に上流側から順に配置されるとともに、インクジェットヘッド３４８Ｍ，３４８Ｋ，３４８Ｃ，３４８Ｙのインク吐出面（ノズル面）が描画ドラム３４４に保持された記録媒体３１４の記録面と対向するように配置される。なお、「インク吐出面（ノズル面）」とは、記録媒体３１４の記録面と対向するインクジェットヘッド３４８Ｍ，３４８Ｋ，３４８Ｃ，３４８Ｙの面であり、後述するインクが吐出されるノズル（図１７に符号３２８を付して図示する。）が形成される面である。
【手続補正１３】
【補正対象書類名】明細書
【補正対象項目名】０１２９
【補正方法】変更
【補正の内容】
【０１２９】
複数のサブヘッドにより構成されるマルチヘッドの適用例として、記録媒体の全幅に対応したフルライン型ヘッドが挙げられる。フルライン型ヘッドは、記録媒体の移動方向（副走査方向）と直交する方向（主走査方向）に沿って、記録媒体の主走査方向における長さ（幅）に対応して、複数のノズル（図１７に符号３２８を付して図示する。）が並べられた構造を有している。かかる構造を有するインクジェットヘッド３４８と記録媒体とを相対的に一回だけ走査させて画像記録を行う、いわゆるシングルパス画像記録方式により、記録媒体の全面にわたって画像を形成し得る。
【手続補正１４】
【補正対象書類名】明細書
【補正対象項目名】０１６６
【補正方法】変更
【補正の内容】
【０１６６】
（発明１）：記録媒体へ液滴を噴射するノズルと、前記ノズルと連通する液室と、所定の駆動信号が供給されると前記液室内の液体を加圧する圧電アクチュエータと、を備えたインクジェットヘッドと、所定の駆動信号を供給して前記インクジェットヘッドを駆動させる駆動手段と、を具備し、前記駆動手段は、少なくとも二種類のサイズのドットを選択的に形成するように前記インクジェットヘッドを駆動するとともに、前記ノズルから液滴を噴射させて最大サイズの１ドットを形成することができる噴射波形が含まれる第１の噴射波形群と、前記第１の噴射波形群の最終の噴射波形の始端から所定の時間間隔の後に設けられ、噴射後のメニスカスの振動を抑制するために印加され、前記ノズルから液滴を噴射させない第１の非噴射波形と、少なくとも最小サイズの１ドットを形成することができる噴射波形が含まれる第２の噴射波形群と、前記第２の噴射波形群の最終の噴射波形の始端から所定の時間間隔の後に設けられ、噴射後のサテライトの発生を抑制するために印加され、ノズルから液滴を噴射させない第２の非噴射波形と、を１噴射周期内に含む基準駆動波形を生成する波形生成手段と、噴射データに基づいて、前記第１の噴射波形群あるいは前記第２の噴射波形群の中から１つ以上の噴射波形を選択するとともに、前記第１の噴射波形群の中から噴射波形が選択された場合には第１の非噴射波形を選択し、一方、前記第２の噴射波形群の中から噴射波形が選択された場合には前記第２の非噴射波形を選択する波形選択手段と、前記選択された波形が含まれる駆動信号を生成する駆動信号生成手段と、を備えたことを特徴とするインクジェット噴射装置。
【手続補正１５】
【補正対象書類名】明細書
【補正対象項目名】０１９１
【補正方法】変更
【補正の内容】
【０１９１】
（発明１１）：発明１乃至９のいずれかに記載のインクジェット噴射装置において、前記第１の非噴射波形は略矩形形状又は略台形形状、略三角形形状のいずれかを有し、前記第１の非噴射波形の幅は前記噴射波形の幅と略同一であることを特徴とする。
【手続補正１６】
【補正対象書類名】明細書
【補正対象項目名】０２０３
【補正方法】変更
【補正の内容】
【０２０３】
（発明１７）：記録媒体へ液滴を噴射するノズルと、前記ノズルと連通する液室と、所定の駆動信号が供給されると前記液室内の液体を加圧する圧電アクチュエータと、を備えたインクジェットヘッドの噴射方法であって、少なくとも二種類のサイズのドットを選択的に形成するように前記インクジェットヘッドを駆動するとともに、前記ノズルから液滴を噴射させて最大サイズの１ドットを形成することができる噴射波形が含まれる第１の噴射波形群と、前記第１の噴射波形群の最終の噴射波形の始端から所定の時間間隔の後に設けられ、噴射後のメニスカスの振動を抑制するために印加され、前記ノズルから液滴を噴射させない第１の非噴射波形と、少なくとも最小サイズの１ドットを形成することができる噴射波形が含まれる第２の噴射波形群と、前記第２の噴射波形群の最終の噴射波形の始端から所定の時間間隔の後に設けられ、噴射後のサテライトの発生を抑制するために印加され、ノズルから液滴を噴射させない第２の非噴射波形と、を１噴射周期内に含む基準駆動波形を生成し、噴射データに基づいて、前記第１の噴射波形群あるいは前記第２の噴射波形群の中から１つ以上の噴射波形を選択するとともに、前記第１の噴射波形群の中から噴射波形が選択された場合には第１の非噴射波形を選択し、一方、前記第２の噴射波形群の中から噴射波形が選択された場合には前記第２の非噴射波形を選択し、前記選択された波形が含まれる駆動信号を生成し、前記生成された駆動信号を前記インクジェットヘッドへ供給して液滴を噴射させることを特徴とするインクジェット噴射方法。
【手続補正１７】
【補正対象書類名】明細書
【補正対象項目名】０２０４
【補正方法】変更
【補正の内容】
【０２０４】
（発明１８）：記録媒体へ液滴を噴射するノズルと、前記ノズルと連通する液室と、所定の駆動信号が供給されると前記液室内の液体を加圧する圧電アクチュエータと、を備えたインクジェットヘッドと、前記記録媒体と前記インクジェットヘッドとを相対的に移動させる移動手段と、所定の駆動信号を供給して前記インクジェットヘッドを駆動させる駆動手段と、を具備し、前記駆動手段は、少なくとも二種類のサイズのドットを選択的に形成するように前記インクジェットヘッドを駆動するとともに、前記ノズルから液滴を噴射させて最大サイズの１ドットを形成することができる噴射波形が含まれる第１の噴射波形群と、前記第１の噴射波形群の最終の噴射波形の始端から所定の時間間隔の後に設けられ、噴射後のメニスカスの振動を抑制するために印加され、前記ノズルから液滴を噴射させない第１の非噴射波形と、少なくとも最小サイズの１ドットを形成することができる噴射波形が含まれる第２の噴射波形群と、前記第２の噴射波形群の最終の噴射波形の始端から所定の時間間隔の後に設けられ、噴射後のサテライトの発生を抑制するために印加され、ノズルから液滴を噴射させない第２の非噴射波形と、を１噴射周期内に含む基準駆動波形を生成する波形生成手段と、噴射データに基づいて、前記第１の噴射波形群あるいは前記第２の噴射波形群の中から１つ以上の噴射波形を選択するとともに、前記第１の噴射波形群の中から噴射波形が選択された場合には第１の非噴射波形を選択し、一方、前記第２の噴射波形群の中から噴射波形が選択された場合には前記第２の非噴射波形を選択する波形選択手段と、前記選択された波形が含まれる駆動信号を生成する駆動信号生成手段と、を備えたことを特徴とするインクジェット記録装置。
【手続補正１８】
【補正対象書類名】図面
【補正対象項目名】図１
【補正方法】変更
【補正の内容】
【図１】
2011143682.tif 000001
【手続補正１９】
【補正対象書類名】図面
【補正対象項目名】図１１
【補正方法】変更
【補正の内容】
【図１１】
2011143682.tif 000002
【手続補正２０】
【補正対象書類名】図面
【補正対象項目名】図１８
【補正方法】変更
【補正の内容】
【図１８】
2011143682.tif 000003